(57)【特許請求の範囲】
【請求項１】
キャビネットの庫内に複数基の商品ラックを左右に並べて収容し、かつ商品ラックを各基ごとにキャビネットの内部に吊り下げ支持した自動販売機において、商品ラックの前面側の最下端に固定金具を設けるとともに、該固定金具に対向してキャビネットの前面側には、その下端が商品ラックの下端よりさらに下方へ位置して商品ラックの下端部前面をカバーするように配設されたラック振れ止め用の帯状支持梁を設け、該支持梁に商品ラックの固定金具をねじ締結したことを特徴とする自動販売機。
【請求項２】
請求項１記載の自動販売機において、帯状支持梁の左右両端をキャビネットの内面側壁に設けたフック金具へ引っ掛けて係止固定したことを特徴とする自動販売機。
【請求項３】
請求項１，または２記載の自動販売機において、商品ラックの下端部前面をカバーする帯状の支持梁の下縁を裏面側へ折り返すように押し曲げ処理を施したことを特徴とする自動販売機。
【発明の詳細な説明】
【０００１】
【発明の属する技術分野】
本発明は、多セレクション機として庫内に複数基のサーペンタイン式商品ラックを搭載した自動販売機に関し、詳しくはキャビネットの庫内に組み込んだ商品ラックの支持構造に係わる。
【０００２】
【従来の技術】
まず、本発明の実施対象となる自動販売機の従来構成を図４，図５に示す。図４において、１は自動販売機のキャビネット、２は前面外扉、３は断熱内扉、４はサーペンタイン式商品ラック、５は庫内底部に配した商品搬出シュータ、６はキャビネット１の機械室内に設置した冷凍機のコンデンシングユニットであり、キャビネット１の庫内を左右に並ぶ複数の室に仕切った上で、各室ごとに図５で示すようなサーペンタイン式商品ラック４が左右に並べて収設されている。
【０００３】
図５において、商品ラック４は、左右の側板４ａと、側板間に架設して蛇行状の商品通路を画成するレール部材４ｂと、前記商品通路に連ねてラックの上部前面に引出した商品ローディング用のトップトレー４ｃと、商品通路の下端に配したベンド機構、およびベンド機構に対向する通路規制板４ｄなどから構成されている。
【０００４】
そして、かかる商品ラック４は各基ごとに次記のような方法でキャビネット１の庫内に吊り下げ支持されている。すなわち、左右側板４ａの頂部に設けたフック金具４ｅを介してキャビネット１の天井側に敷設した支持レール（図示せず）に吊り下げ支持するとともに、さらにラック振れ止め手段として、商品ラック４の前面側の中段箇所に固定金具４ｆ（図５参照）を取付け、該固定金具４ｆをキャビネット１の前面側で左右の側壁間に架け渡した支持梁７（図４参照）にねじ８で締結固定する。なお、かかる商品ラックの取付構造は、本発明と同一出願人より出願した実公昭６０−６９６号公報に詳しく述べられている。
【０００５】
【発明が解決しようとする課題】
ところで、前記した従来の商品ラック取付構造を採用した自動販売機では、数多い使用実績から、商品ラックの取扱い面で次記のような難点があることが判明した。すなわち、
１）商品ラックをキャビネットから外して前方へ引き出す場合には、その都度キャビネットの前面に固定した支持梁７を取り外す必要があるなど、サービス性が悪かった。
２）販売商品を変更するに際して商品ラック４の下端に位置するベンド機構の商品通路幅を調節するなど、外部から機内に手を差し入れて各種作業を行う場合に、商品ラックがガタつくなど、振れ止め支持が不安定で作業がやり難い。
３）また、キャビネット１の前方から商品ラック４の下部へ手を差し入れて商品通路幅を変更する作業などを行う際に、作業員は手袋をはめてないと、ラック側板の鋭利な角部に手が触れて思わぬ怪我をすることがあり、その安全策が望まれている。
本発明は上記の点にかんがみなされたものであり、その目的は前記課題を解決し、キャビネットの庫内に組み込んで吊り下げ支持した商品ラックの安定性向上と併せて、商品ラックの取扱性，サービス性の改善が図れるようなラック取付構造を採用した自動販売機を提供することにある。
【０００６】
【課題を解決するための手段】
上記目的を達成するために、本発明によれば商品ラックを次記のような取付構造でキャビネットの庫内に組み込み固定するものとする。
１）商品ラックの前面側の最下端部に固定金具を設けるとともに、該固定金具に対向してキャビネットの前面側には、その下端が商品ラックの下端よりさらに下方へ位置して商品ラックの下端部前面をカバーするように配設されたラック振れ止め用の帯状支持梁を設け、該支持梁に商品ラックの固定金具をねじ締結する。
【０００７】
２）前項１）において、帯状支持梁の左右両端をキャビネットの内面側壁に設けたフック金具へ引っ掛けて係止固定する。
３）前項１),または２）において、商品ラックの下端部前面をカバーする帯状の支持梁の下縁を裏面側へ折り返すように押し曲げ処理を施す。
【０００８】
上記のようにキャビネットの庫内に吊り下げ支持した商品ラックを、その最下端箇所に設けた固定金具を介してキャビネット側の振れ止め用支持梁に固定したことにより、商品ラックの振れ止め支持が安定化する。また、キャビネットから商品ラックを前方へ引き出す場合でも、商品ラック側の固定金具とキャビネット側の支持梁との間の締結ねじを外すだけで、支持梁はキャビネットに取付けたまま、商品ラックを若干前傾姿勢に傾けて簡単に引き出すことかできるほか、必要時には支持梁を簡単に取り外せる。加えて、前項３）の構造を採用することにより、作業時に商品ラックの下部に前方から手を差し入れる場合に、支持梁が邪魔板となって手がラック側板などの角部に触れることがなく、かつ支持梁自身に手が触れてもその下縁に折り返し処理が施されているので安全である。
【０００９】
【発明の実施の形態】
以下、本発明の実施例を図１〜図３に基づいて説明する。なお、実施例の図中で図４，図５に対応する同一部材には同じ符号が付してある。
図示実施例の商品ラック４は基本的に図５に示した従来の構造と同じであり、その頂部に設けたフック金具４ｅを介してキャビネット１の庫内天井側に設けた支持レールに吊り下げ支持されている。これに対して、振れ止め防止部材として商品ラック４の前面側に設けた固定金具４ｆは、図５の中段位置から商品ラック４の最下端部に移し変え、左右の側板４ａの間に跨がるスルーピンにかしめて固定されている。
【００１０】
一方、キャビネット１の前面側に配した振れ止め防止用の支持梁７は図示のように帯状の鋼板で作られたものであり、かつラック側の固定金具４ｆに高さ位置を合わせてキャビネット１の内面側壁に設けたフック金具９へ左右両端部を引っ掛けて係止固定されている。また、前記の帯状支持梁７は、その下縁が商品ラック４の下端からさらに下方へ延びるような幅広な寸法とし、かつその上下縁を梁の裏面側へ折り返すように押し曲げ処理（カーリング）が施されている。
【００１１】
そして、商品ラック４をキャビネット１の庫内に吊り下げ支持した状態で、前記した固定金具４ｆと振れ止め用支持梁７との間を締結ねじ８でねじ止めする。これにより、商品ラック４が安定よく振れ止め支持される。また、商品ラック４をキャビネット１から前方に引き出す場合には、図２のように締結ねじ８を外して固定金具４ｆと支持梁７との間の結合を解いた上で、商品ラック４を鎖線で表すように若干前傾姿勢に傾けて斜め上方へ引き出すことで、支持梁７を取付けたままその上を乗り越えて前方へ引き出すことができる。
【００１２】
また、図２で表すように、商品ラック４の下端側に前方より手を差し入れて商品搬出通路幅を変更するなどの作業を行う場合でも、幅広な帯状の支持梁７が商品ラック４の下端部前面をカバーしているので、庫内に差し入れた手がラック側板の鋭利な角部などに直接触れて思わぬ怪我をすることが防げ、かつ支持梁自身もその下縁が折り曲げ処理されているので、手が触れても安全である。
【００１３】
【発明の効果】
以上述べたように本発明の構成によれば、キャビネットの庫内に組み込んだ商品ラックを安定よく振れ止め支持することができるとともに、商品ラックをキャビネットから前方へ引き出す場合でも、支持梁を取付けたままで商品ラックを引き出すことができてサービス性の改善が図れる。加えて請求項３の構成を採用することにより、庫内に手を差し入れた際の安全性が向上する。
【図面の簡単な説明】
【図１】  本発明実施例の要部構造を表す分解斜視図
【図２】  図１の側面図
【図３】  図１における商品ラックの全体構造を表す外観斜視図
【図４】  従来の商品ラック取付構造を採用した自動販売機全体の正面斜視図
【図５】  図４における商品ラックの全体構造を表す外観斜視図
【符号の説明】
１ キャビネット
４ サーペンタイン式商品ラック
４ａ 側板
４ｅ 吊り下げ用フック金具
４ｆ 固定金具
７ 振れ止め防止用の支持梁
８ 締結ねじ
９ フック金具
【図１】
0003800655.tif 000002
【図２】
0003800655.tif 000003
【図３】
0003800655.tif 000004
【図４】
0003800655.tif 000005
【図５】
0003800655.tif 000006